(57)【要約】【課題】荷重を十分に支持することができ、さらに安価に製造できて見栄えが良好な手摺ブラケットを提供することである。【解決手段】  手摺ブラケット１は、支持部材５とカバー部材４を有する。支持部材５は、剛性が高い部材であり、カバー部材４は、成型が容易な素材で形成されている。支持部材５の一部又は全部が、カバー部材４の内部に収容されている。支持部材５には手摺２の端部が固定される。これにより、手摺２は、剛性が高い支持部材５によって支持されると共に、支持部材５はカバー部材４の内部に収容されていて見えない。そのため、手摺２は、見栄えが良好なカバー部材４で支持されている様に見える。【選択図】図３
2018059325.tif 000002
【特許請求の範囲】
【請求項１】
手摺の端部を支持する手摺ブラケットであって、
支持部材とカバー部材を有し、
前記支持部材は、剛性が高い部材であり、
前記カバー部材は、成型が容易な素材で形成されており、
前記支持部材の一部又は全部が前記カバー部材の内部に収容されており、
前記支持部材には手摺の端部が直接固定されることを特徴とする手摺ブラケット。
【請求項２】
前記支持部材は、金属で構成されていることを特徴とする請求項１に記載の手摺ブラケット。
【請求項３】
前記カバー部材は、樹脂材で形成されていることを特徴とする請求項１又は２に記載の手摺ブラケット。
【請求項４】
手摺の端部を支持する手摺ブラケットであって、
支持部材とカバー部材を有し、
前記支持部材は、剛性が高い部材であり、
前記カバー部材は、成型が容易な素材で形成されており、
前記支持部材の一部又は全部が前記カバー部材の内部に収容されており、
二つの手摺の端部を固定できる剛性が高いアダプタを有し、前記アダプタが前記支持部材に直接固定可能であることを特徴とする手摺ブラケット。
【発明の詳細な説明】
【技術分野】
【０００１】
本発明は、手摺を固定先に固定するための手摺ブラケットに関するものである。
【背景技術】
【０００２】
従来、様々な構造の手摺が発案され、それらの手摺を壁等の固定先に固定するための様々な手摺ブラケットも発案されている。
特許文献１には手摺や手摺ブラケットの一例が示されている。
特許文献１に開示されている手摺り装置は、手摺の両端を固定用ブラケット（手摺ブラケット）で支持する構造を有している。手摺ブラケットは樹脂成形品であり、安価に製造することができる。
【先行技術文献】
【特許文献】
【０００３】
【特許文献１】特許第４７９５４２０号公報
【発明の概要】
【発明が解決しようとする課題】
【０００４】
手摺を設ける本来の目的は、人の姿勢を安定させたり、人が楽に姿勢を変更することができる様にすることにある。すなわち、人は手摺を持つことによって、バランスを崩して転倒することを防止したり、座った状態から起立する場合等に、足に入れる力を軽減することができる。
そのため、手摺を支持する手摺ブラケットは、手摺に人がつかまって荷重が掛かった際に、その荷重を確実に支持することができなければならない。そこで、手摺ブラケットを剛性の高い金属製とすると、大きな荷重を支持することができる。しかし、手摺ブラケットを、金属製として単に手摺受けとして機能する様に構成すると、無粋な外観となり見栄えが悪くなってしまう。
そこで、金属素材で見栄えの良好な手摺ブラケットを製造しようとすると、製造コストが高くなってしまう。
一方、手摺ブラケットを樹脂製（樹脂成形品）とすると比較的安価に製造することができるが、金属製の手摺ブラケットと比較すると強度が落ちてしまい破損し易くなる。
【０００５】
そこで本発明は、上記事情に鑑み、作用した荷重を十分に支持することができ、さらに安価に製造できて見栄えが良好な手摺ブラケットを提供することを目的としている。
【課題を解決するための手段】
【０００６】
上記課題を解決するための請求項１に記載の発明は、手摺の端部を支持する手摺ブラケットであって、支持部材とカバー部材を有し、前記支持部材は、剛性が高い部材であり、前記カバー部材は、成型が容易な素材で形成されており、前記支持部材の一部又は全部が前記カバー部材の内部に収容されており、前記支持部材には手摺の端部が直接固定されることを特徴とする手摺ブラケットである。
【０００７】
請求項１に記載の発明では、支持部材は剛性が高い部材であるので、荷重が掛かっても変形しにくく、また、破損しにくい。
この支持部材に手摺の端部が直接固定されるので、手摺に作用した荷重は、支持部材に伝達され、支持部材によって確実に支持される。
また、支持部材の一部又は全部が、カバー部材の内部に収容されている。そのため、手摺ブラケットを外観視すると、支持部材は見えにくく、主にカバー部材が見える。カバー部材は成形が容易な素材で形成されているので、容易且つ安価に手摺ブラケットの見栄えを良好にすることができる。
【０００８】
支持部材は、金属で構成されているのが好ましい（請求項２）。
【０００９】
カバー部材は、樹脂材で形成されているのが好ましい（請求項３）。
【００１０】
請求項４に記載の発明は、手摺の端部を支持する手摺ブラケットであって、支持部材とカバー部材を有し、前記支持部材は、剛性が高い部材であり、前記カバー部材は、成型が容易な素材で形成されており、前記支持部材の一部又は全部が前記カバー部材の内部に収容されており、二つの手摺の端部を固定できる剛性が高いアダプタを有し、前記アダプタが前記支持部材に直接固定可能であることを特徴とする手摺ブラケットである。
【００１１】
請求項４に記載の発明では、二つの手摺の端部を固定できる剛性の高いアダプタが、支持部材に直接固定可能であるので、支持部材にアダプタを固定すると、一つの手摺ブラケットで二つの手摺の各端部を同時に支持することができる。そして、支持部材とアダプタは、共に高い剛性を有しているので、手摺に作用した荷重を良好に支持することができる。
また、アダプタは、支持部材に対して固定可能であり、用途に応じて支持部材とアダプタを組み合わせて使用することができる。すなわち、一つの手摺の端部を支持する場合のみならず、二つの手摺の端部を支持する場合にも支持部材及びカバー部材を使用することができ、支持部材及びカバー部材の汎用性が高い。
【発明の効果】
【００１２】
本発明の手摺ブラケットは、手摺に掛かった荷重を十分に支持することができる上に、安価に製造することができ、さらに見栄えを良くすることができる。
【図面の簡単な説明】
【００１３】
【図１】本発明の実施形態に係る手摺ブラケットで手摺を支持している状態を示す斜視図である。
【図２】（ａ）は、図１の手摺ブラケットの斜視図であり、（ｂ）は、（ａ）とは異なる角度から見た斜視図であり、（ｃ）は、図１の手摺ブラケットの正面図である。
【図３】図１の手摺ブラケットの分解斜視図である。
【図４】裏面蓋を外した状態の手摺ブラケットの背面上方側から見た斜視図である。
【図５】（ａ）は、図１のＡ−Ａ断面図であり、（ｂ）は、（ａ）に示す各部材の分解図であり、（ｃ）は、（ａ）のＣ−Ｃ断面図である。
【図６】図１とは別の本発明の実施形態に係る手摺ブラケットの斜視図である。
【図７】図６の手摺ブラケットの一部を分解した状態を示す斜視図である。
【図８】（ａ）は、図７のアダプタの正面上方側から見た斜視図であり、（ｂ）は、図７のアダプタの背面上方側から見た斜視図である。
【図９】図６の手摺ブラケットの分解斜視図である。
【図１０】図７のアダプタの底面側から見た斜視図であり、アダプタと手摺の接続関係を示している。
【発明を実施するための形態】
【００１４】
以下、図面を参照しながら説明する。
図１に示す様に、丸棒状の手摺２が、一対の手摺ブラケット１を介して壁３に固定されている。手摺ブラケット１は、例えば図１に示す様に、壁３等の固定先に対して固定されるが、固定先は鉛直壁とは限らず、また、手摺２は水平に設けられるとは限らず、本来は手摺ブラケット１には上下という概念はない。しかし、説明の都合上、図２（ａ）に示す姿勢を基準として手摺ブラケット１の上下を便宜的に定義する。
【００１５】
図３に示す様に手摺ブラケット１は、カバー部材４、支持部材５、蓋部材６を有している。
【００１６】
カバー部材４は、容易に成型加工可能な樹脂成形品である。
カバー部材４は、正面壁部１１、側壁部１２，１３、上壁部１４、底壁部１５、筒状部１７を有している。正面壁部１１、側壁部１２，１３、上壁部１４、底壁部１５、及び後述の蓋部材６によって、収容空間９が形成されている。
【００１７】
図３，図４に示す様に、正面壁部１１には、貫通孔１１ａ，１１ｂ、突起部１１ｃ，１１ｄが設けられている。貫通孔１１ａ，１１ｂと突起部１１ｃは、水平方向に並んでおり、正面壁部１１の比較的上方の位置に設けられている。突起部１１ｄは、正面壁部１１の比較的下方の位置に設けられている。突起部１１ｃ，１１ｄは、収容空間９側に突出している。
【００１８】
正面壁部１１の両側には側壁部１２，１３が直交して連続している。側壁部１２，１３の上部は円弧状の上壁部１４を介して滑らかに連続している。
上壁部１４は、半円状であり、その中央部分が最上部分を構成している。上壁部１４の最上部分における収容空間９側の部位には、係合凸部１４ａが設けられている。係合凸部１４ａは、収容空間９内に突出している。
【００１９】
正面壁部１１の下部と側壁部１２，１３の下部は、底壁部１５と連続している。すなわち、底壁部１５は、平面視すると四角形を呈しており、底壁部１５の正面側には正面壁部１１が連続しており、底壁部１５の両側にはそれぞれ側壁部１２，１３が連続している。側壁部１２，１３、上壁部１４、及び底壁部１５によってカバー部材４の背面側には収容空間９の開口１６（図３）が形成されている。
底壁部１５には、係合孔１５ａと三つの孔１８ａ，１８ｂ，１８ｃが設けられている。孔１８ａ，１８ｂ，１８ｃは三角形（例えば二等辺三角形、又は正三角形）の位置関係にあり、一直線上に並んでいない。
底壁部１５の係合孔１５ａは、開口１６付近に設けられている。
【００２０】
側壁部１２，１３、上壁部１４、底壁部１５は、正面壁部１１と交差して連続している。正面壁部１１は底壁部１５と直交しており、水平の底壁部１５に対して正面壁部１１が鉛直姿勢となっている。
また、底壁部１５の幅は、上壁部１４の幅よりも大きく、側壁部１２，１３の幅は、上方へいくほど幅が狭くなっている。すなわち、図１，図２（ａ），図２（ｂ）に示す様に、手摺ブラケット１は、側面視すると略三角形形状を呈している。
【００２１】
正面壁部１１の正面側（収容空間９とは反対側）には、円筒状の筒状部１７が設けられている。筒状部１７は、正面壁部１１と上壁部１４、及び側壁部１２，１３の上方部分と連続している。すなわち、筒状部１７の一方の開口が正面壁部１１等と連続して正面壁部１１等に支持されており、筒状部１７は正面壁部１１と直交している。換言すると、筒状部１７の一方の開口は、正面壁部１１で塞がれている。そして、正面壁部１１によって形成された筒状部１７の底には、図２（ｃ）に示す様に、貫通孔１１ａ，１１ｂがある。
【００２２】
筒状部１７の他方の開口は自由端であって開放されている。筒状部１７は、手摺２の端部を配置する手摺配置部１０を構成している。
【００２３】
以上説明したカバー部材４は、手摺を配置する側（正面側）と直交する方向（側面方向）から見ると、幅寸法が下方から上方にいくほど狭くなっており、さらに、幅が狭い上方部分に筒状部１７を備えていて、安定感を有すると共に格好（見栄え）がよい。
【００２４】
支持部材５は、剛性を有する素材で構成された部材であり、水平部５ａと起立部５ｂを有している。すなわち、支持部材５は、ステンレス鋼等から成る強度の高い部材であり、カバー部材４より剛性が高い。
水平部５ａは、平面視するとカバー部材４の底壁部１５より一回り小さい四角形の薄板状の部位である。水平部５ａには、三つの孔１９ａ〜１９ｃが設けられている。三つの孔１９ａ〜１９ｃは、三角形（例えば二等辺三角形、又は正三角形）の位置関係にあり、一直線上には並んでいない。
【００２５】
起立部５ｂは、四角形の水平部５ａの一辺と連続し、水平部５ａと直交した板状の部位である。起立部５ｂには、ねじ挿通孔２０ａ，２０ｂと位置決め孔２０ｃ，２０ｄが設けられている。
ねじ挿通孔２０ａ，２０ｂは、起立部５ｂの上端付近に水平に並んで設けられている。位置決め孔２０ｃは、ねじ挿通孔２０ａ，２０ｂの中間の位置に設けられている。位置決め孔２０ｄは、位置決め孔２０ｃの真下の起立部５ｂの下端付近に設けられている。
【００２６】
支持部材５は、水平部５ａと起立部５ｂが交差した構造を有するものであり、見栄えが悪く、支持部材５の外観は無粋である。
【００２７】
蓋部材６は、薄板状の部材であり、カバー部材４の開口１６と同様の輪郭を有している。蓋部材６の上端部分には、係合部２１が設けられている。係合部２１は、孔２１ａを有している。
また、蓋部材６の下部には係合突起２２が設けられている。
【００２８】
以上説明したカバー部材４，支持部材５，蓋部材６は、次の様に組み立てられている。
カバー部材４の収容空間９内に支持部材５が収容されており、支持部材５の起立部５ｂの位置決め孔２０ｃ，２０ｄに、カバー部材４の正面壁部１１の突起部１１ｃ，１１ｄが挿通されており、カバー部材４に対する支持部材５の位置が固定されている。これにより、支持部材５の起立部５ｂのねじ挿通孔２０ａ，２０ｂと、カバー部材４の正面壁部１１の貫通孔１１ａ，１１ｂが容易に位置合わせされている。
同時に、支持部材５の水平部５ａの孔１９ａ〜１９ｃが、カバー部材４の底壁部１５の孔１８ａ〜１８ｃと位置合わせされている。
【００２９】
図５（ａ）〜図５（ｃ）に示す様に、ねじ挿通孔２０ａ，２０ｂと貫通孔１１ａ，１１ｂには、ねじ２３ａ，２３ｂが挿通されており、ねじ２３ａ，２３ｂの先端部分は正面壁部１１を貫通して手摺２の端部に設けられたねじ穴２ａに係合している。すなわち、ねじ２３ａ，２３ｂによって手摺ブラケット１と手摺２とが固定されている。
【００３０】
また、支持部材５の水平部５ａの孔１９ａ〜１９ｃ、及びカバー部材４の底壁部１５の孔１８ａ〜１８ｃをねじ２４ａ〜２４ｃ（図３）が挿通しており、ねじ２４ａ〜２４ｃの先端部分が壁３等の固定先にねじ込まれている。すなわち、ねじ２４ａ〜２４ｃによって手摺ブラケット１が壁３等の固定先に固定されている。
この様な手摺ブラケット１によって手摺２は、図１に示す様に、壁３等の固定先に固定されている。
【００３１】
手摺２は、手摺ブラケット１の支持部材５によって実質的に支持されている。支持部材５は剛性を有しているので、手摺２は壁３等の固定先に強固に固定されている。
また、支持部材５は、カバー部材４の収容空間９内に収容されているので、手摺ブラケット１を外観しても見えない。すなわち、手摺２は、あたかも見栄えの良好なカバー部材４で支持されているように見える。
【００３２】
ここで、図３，図４に示すカバー部材４の正面壁部１１に手摺２を貫通させることができる孔（開口）を設け、支持部材５と手摺２が直に接するようにしてもよい。この様にカバー部材４を構成しても、手摺２の端部が手摺配置部１０を構成する筒状部１７内に配置されているので、手摺ブラケット１を外観しても支持部材５は見えない。
【００３３】
次に、図６〜図１０を参照しながら本発明の別の実施形態について説明する。
図６に示す様に、本実施形態の手摺ブラケット２５では、手摺ブラケット１に加えて、二つの手摺３１，３２を同時に支持することができるアダプタ３０が採用されている。
すなわち、図６，図７に示す様に、手摺ブラケット２５は、アダプタ３０と手摺ブラケット１を組み合わせることによって、二つの手摺３１，３２を同時に支持することができるものである。
【００３４】
アダプタ３０は、ステンレス等の金属製であり、剛性を有する部材である。
図６〜図８に示す様に、アダプタ３０は、基部３３、第一分岐部３４、第二分岐部３５を有している。
【００３５】
基部３３は、図８（ｂ）に示す様に、大径円筒部３６，小径円筒部３７を有している。大径円筒部３６と小径円筒部３７の境界には段部３８が形成されている。
小径円筒部３７の外径は、手摺ブラケット１の手摺配置部１０の内径とほぼ一致しており、手摺配置部１０に小径円筒部３７を配置することができる。また、大径円筒部３６の外径は、手摺配置部１０の内径より大きい。
【００３６】
基部３３の内部にはねじ穴構成部３９が設けられている。ねじ穴構成部３９は、円筒状の基部３３の内部を直径方向に橋渡しした板状の部位である。
ねじ穴構成部３９には、ねじ穴３９ａ，３９ｂが所定の間隔を置いて平行に設けられている。
【００３７】
大径円筒部３６における小径円筒部３７と接続した側とは反対側に第一分岐部３４，第二分岐部３５が設けられている。
第一分岐部３４，第二分岐部３５は円筒状の部位であり、両者は左右対称形である。
第一分岐部３４の中心軸線と第二分岐部３５の中心軸線は交差しており、両者は例えば直交している。
第一分岐部３４，第二分岐部３５の内径は、手摺３１，３２の外径よりも若干大きく、図６に示す様に、第一分岐部３４，第二分岐部３５内に手摺３１，３２を配置することができる。
【００３８】
図７，８，１０に示す様に、第一分岐部３４，第二分岐部３５の下端には、孔３４ａ，３５ａが設けられている。
また、図１０に示す様に、手摺３１，３２の下部にはねじ穴３１ａ，３２ａが設けられている。
【００３９】
次に、手摺ブラケット２５（手摺ブラケット１とアダプタ３０）と手摺３１，３２の接続構造について説明する。
【００４０】
図９に示す様に、支持部材５とカバー部材４を挿通するねじ２３ａ，２３ｂが、アダプタ３０のねじ穴３９ａ，３９ｂに係合する。これにより、支持部材５とアダプタ３０が一体化する。また、カバー部材４の手摺配置部１０にアダプタ３０の小径円筒部３７が収容されている。アダプタ３０の基部３３の段部３８は、図６に示す様に、手摺配置部１０の円環状の縁１０ａと当接している。また、ねじ穴３９ａ，３９ｂ（図９）は、カバー部材４の正面壁部１１と近接又は当接している。
すなわち、手摺ブラケット１とアダプタ３０は、ねじ２３ａ，２３ｂによって一体化されている。
【００４１】
図１０に示すアダプタ３０の第一分岐部３４，第二分岐部３５の孔３４ａ，３５ａと、手摺３１，３２のねじ穴３１ａ，３２ａが一致している。ねじ４０，４１が、孔３４ａ，３５ａを貫通し、さらにねじ穴３１ａ，３２ａと係合している。
【００４２】
すなわち、アダプタ３０の第一分岐部３４，第二分岐部３５の内部に手摺３１，３２の端部が収容されており、さらに、アダプタ３０（手摺ブラケット２５）と手摺３１，３２は、ねじ４０，４１によって一体化されている。
【００４３】
手摺ブラケット２５は、支持部材５とカバー部材４が壁３等の固定先に固定されており、支持部材５とアダプタ３０がねじ２３ａ，２３ｂで一体化されている。ここで、支持部材５とアダプタ３０は共に剛性を有しているので、手摺ブラケット２５による手摺３１，３２の支持は安定している。
手摺３１，３２の図示しないもう一方の端部は、別の手摺ブラケット１又は手摺ブラケット２５等によって支持されており、手摺３１，３２の両端の支持は安定している。
【００４４】
ここで、アダプタ３０は、カバー部材４と比較して露出部分が少ない。すなわち、アダプタ３０はカバー部材４よりも小さい。また、アダプタ３０は、二つの手摺を支持する場合にのみ使用される。
ここで、アダプタ３０はカバー部材４よりも小さいので、アダプタ３０を金属製としても、カバー部材４を金属製とするよりは製造コストが低くなる。
また、アダプタ３０の使用頻度は低く、カバー部材４よりも製造単価の高いアダプタ３０は、カバー部材４よりも製造数が少なくて済む。
【符号の説明】
【００４５】
１、２５          手摺ブラケット
２、３１，３２    手摺
４                カバー部材
５                支持部材
９                収容空間
３０              アダプタ
【図１】
2018059325.tif 000003
【図２】
2018059325.tif 000004
【図３】
2018059325.tif 000005
【図４】
2018059325.tif 000006
【図５】
2018059325.tif 000007
【図６】
2018059325.tif 000008
【図７】
2018059325.tif 000009
【図８】
2018059325.tif 000010
【図９】
2018059325.tif 000011
【図１０】
2018059325.tif 000012